(57)【要約】【課題】ベルト掛止体に対して工具支承体を容易に着脱することができ、これにより用途別の工具支承体だけを安価に買い増してベルト掛止体に取付けることで様々な工具を支承可能となる工具ホルダーを提供すること。【解決手段】ベルト掛止体３に対し工具支承体４が異なる形状のものに取替え可能に構成され、ベルト掛止体３に工具支承体４を取付けた状態でベルト掛止体３のベルト通し孔２に腰ベルト１を挿通すると、腰ベルト１により挿込部８の案内孔部７に沿った挿脱用孔部６方向へのスライド戻り動が阻止されるように構成されている工具ホルダー。【選択図】図１
2019107719.tif 000002
【特許請求の範囲】
【請求項１】
作業者が装着する腰ベルトに掛止可能なベルト通し孔を有するベルト掛止体と、工具を支承可能な工具支承体とから成る工具ホルダーにおいて、前記ベルト掛止体に前記工具支承体が着脱自在に設けられていて、前記工具支承体を異なる形状のものに取替え可能に構成され、前記ベルト掛止体は、前記工具支承体を着脱自在に取付可能な取付孔が設けられていると共に、この取付孔は、工具支承体に設けられている挿込部を挿脱可能な挿脱用孔部と、この挿脱用孔部から挿込んだ挿込部をスライド移動させることで工具支承体を使用位置へと誘導案内する案内孔部とを有し、前記工具支承体は、前記挿込部が設けられていると共に、この挿込部は、前記挿脱用孔部に挿込んだ後、前記案内孔部に沿って前記使用位置へとスライド移動させることで取付孔から抜止状態となって工具支承体が前記ベルト掛止体に前記使用位置で取付けられるように構成され、この工具支承体が前記使用位置にある状態で前記ベルト通し孔に腰ベルトを挿通すると、この腰ベルトが前記挿込部と前記挿脱用孔部との間に配設して、この腰ベルトにより挿込部の案内孔部に沿った挿脱用孔部方向へのスライド戻り動が阻止されるように構成されていることを特徴とする工具ホルダー。
【請求項２】
前記ベルト通し孔は、長孔形状に形成され、このベルト通し孔の長さ方向の一端部に前記挿脱用孔部が設けられ、このベルト通し孔の他端部に前記挿込部を位置させた際の前記工具支承体が前記使用位置にあるように構成され、このベルト通し孔の両端部間の途中が前記案内孔部に形成されて、このベルト通し孔が前記取付孔として構成され、前記工具支承体が前記使用位置にある状態で前記ベルト通し孔に腰ベルトを挿通すると、この腰ベルトが前記挿込部と前記挿脱用孔部との間の前記案内孔部に配設するように構成されていることを特徴とする請求項１記載の工具ホルダー。
【請求項３】
前記挿込部は、前記取付孔の前記案内孔部に沿ってスライド自在な線材で構成されていると共に、前記挿脱用孔部を介してのみ挿脱可能であって前記案内孔部では抜止状態となる形状の挿脱用先端部を備えていることを特徴とする請求項１，２のいずれか１項に記載の工具ホルダー。
【請求項４】
前記取付孔は、上下方向に長さを有する長孔形状に形成され、この取付孔の上端部が側方に延設する孔形状に形成されて、この上端延設孔部が前記挿脱用孔部として構成され、この取付孔の下端部に前記挿込部を位置させた際の前記工具支承体が前記使用位置にあるように構成され、この取付孔の上下両端部間の途中が前記案内孔部として構成されており、前記挿込部は、前記取付孔の案内孔部に沿ってスライド自在な線材で構成されていると共に、先端部が側方に屈曲突出する形状の挿脱用先端部に形成されて、この挿脱用先端部が前記挿脱用孔部を介してのみ挿脱可能であって前記案内孔部では前記ベルト掛止体の裏面に係止して抜止状態となるように構成されていることを特徴とする請求項１〜３のいずれか１項に記載の工具ホルダー。
【請求項５】
前記ベルト掛止体の前記取付孔の他端部若しくは下端部の近傍に、前記使用位置にある前記工具支承体の前記挿脱用先端部が嵌脱自在に嵌合する嵌合部が設けられていることを特徴とする請求項３，４のいずれか１項に記載の工具ホルダー。
【発明の詳細な説明】
【技術分野】
【０００１】
本発明は、工具を携帯するために作業者が腰ベルトに掛止めて使用する工具ホルダーに関するものである。
【背景技術】
【０００２】
従来、作業者の腰ベルトに掛止め可能な工具ホルダーとしては、例えば登録実用新案第３１１７５３５号（特許文献１）に開示されたものがある。
【０００３】
この特許文献１について説明すると、腰ベルトに掛止可能なベルト掛止体に、工具を支承可能な工具支承体が設けられた構成であり、更に詳しくは、工具支承体は、ベルト掛止部と一体物で構成されていたり、ベルト掛止体に溶接やかしめによって固定されていて、ベルト取付部に対し分離不能状態に設けられている。
【先行技術文献】
【特許文献】
【０００４】
【特許文献１】登録実用新案第３１１７５３５号公報
【発明の概要】
【発明が解決しようとする課題】
【０００５】
上記特許文献１のような工具ホルダーは、工具支承体に支承できる工具の種類が決まっているため、使用中の工具ホルダーの工具支承体では支承不可能な別の工具を携帯したい場合は、その工具を支承可能な形状の工具支承体を具備する工具ホルダーを別途新規に買い増しする必要があった。
【０００６】
本発明は、このような現状に鑑み、工具支承体をベルト掛止体から分離して取替え可能な構成とすることで、用途別の工具支承体だけを安価に買い増しして様々な工具を支承可能となり、しかも、作業者の腰ベルトにベルト掛止体を掛止めるという工具ホルダー使用時に必ず行われる行為によって工具支承体がベルト掛止体に確実に取付けられる工具ホルダーを提供するものである。
【課題を解決するための手段】
【０００７】
添付図面を参照して本発明の要旨を説明する。
【０００８】
作業者Ｗが装着する腰ベルト１に掛止可能なベルト通し孔２を有するベルト掛止体３と、工具Ｔを支承可能な工具支承体４とから成る工具ホルダーＡにおいて、前記ベルト掛止体３に前記工具支承体４が着脱自在に設けられていて、前記工具支承体４を異なる形状のものに取替え可能に構成され、前記ベルト掛止体３は、前記工具支承体４を着脱自在に取付可能な取付孔５が設けられていると共に、この取付孔５は、工具支承体４に設けられている挿込部８を挿脱可能な挿脱用孔部６と、この挿脱用孔部６から挿込んだ挿込部８をスライド移動させることで工具支承体４を使用位置Ｐへと誘導案内する案内孔部７とを有し、前記工具支承体４は、前記挿込部８が設けられていると共に、この挿込部８は、前記挿脱用孔部６に挿込んだ後、前記案内孔部７に沿って前記使用位置Ｐへとスライド移動させることで取付孔５から抜止状態となって工具支承体４が前記ベルト掛止体３に前記使用位置Ｐで取付けられるように構成され、この工具支承体４が前記使用位置Ｐにある状態で前記ベルト通し孔２に腰ベルト１を挿通すると、この腰ベルト１が前記挿込部８と前記挿脱用孔部６との間に配設して、この腰ベルト１により挿込部８の案内孔部７に沿った挿脱用孔部６方向へのスライド戻り動が阻止されるように構成されていることを特徴とする工具ホルダーに係るものである。
【０００９】
また、前記ベルト通し孔２は、長孔形状に形成され、このベルト通し孔２の長さ方向の一端部に前記挿脱用孔部６が設けられ、このベルト通し孔２の他端部に前記挿込部８を位置させた際の前記工具支承体４が前記使用位置Ｐにあるように構成され、このベルト通し孔２の両端部間の途中が前記案内孔部７に形成されて、このベルト通し孔２が前記取付孔５として構成され、前記工具支承体４が前記使用位置Ｐにある状態で前記ベルト通し孔２に腰ベルト１を挿通すると、この腰ベルト１が前記挿込部８と前記挿脱用孔部６との間の前記案内孔部７に配設するように構成されていることを特徴とする請求項１記載の工具ホルダーに係るものである。
【００１０】
また、前記挿込部８は、前記取付孔５の前記案内孔部７に沿ってスライド自在な線材で構成されていると共に、前記挿脱用孔部６を介してのみ挿脱可能であって前記案内孔部７では抜止状態となる形状の挿脱用先端部９を備えていることを特徴とする請求項１，２のいずれか１項に記載の工具ホルダーに係るものである。
【００１１】
また、前記取付孔５は、上下方向に長さを有する長孔形状に形成され、この取付孔５の上端部が側方に延設する孔形状に形成されて、この上端延設孔部が前記挿脱用孔部６として構成され、この取付孔５の下端部に前記挿込部８を位置させた際の前記工具支承体４が前記使用位置Ｐにあるように構成され、この取付孔５の上下両端部間の途中が前記案内孔部７として構成されており、前記挿込部８は、前記取付孔５の案内孔部７に沿ってスライド自在な線材で構成されていると共に、先端部が側方に屈曲突出する形状の挿脱用先端部９に形成されて、この挿脱用先端部９が前記挿脱用孔部６を介してのみ挿脱可能であって前記案内孔部７では前記ベルト掛止体３の裏面に係止して抜止状態となるように構成されていることを特徴とする請求項１〜３のいずれか１項に記載の工具ホルダーに係るものである。
【００１２】
また、前記ベルト掛止体３の前記取付孔５の他端部若しくは下端部の近傍に、前記使用位置Ｐにある前記工具支承体４の前記挿脱用先端部９が嵌脱自在に嵌合する嵌合部10が設けられていることを特徴とする請求項３，４のいずれか１項に記載の工具ホルダーに係るものである。
【発明の効果】
【００１３】
本発明は上述のように構成したから、ベルト掛止体に対し工具支承体を異なる形状のものに取替えでき、従って、例えばメーカーがベルト掛止体に取付可能な様々な用途別形状の工具支承体を単品で提供販売すれば、ユーザーは目的の用途に見合った工具支承体だけを安価に買い増しして様々な工具支承に使用可能となり、しかも本発明は、工具支承体の挿込部を挿脱用孔部からベルト掛止体の取付孔に挿込んで案内孔部に沿ってスライド移動させて工具支承体を使用位置へと動かすだけでベルト掛止体に工具支承体を取付けできるし、工具支承体を使用位置から動かして挿込部を挿脱用孔部に移動させるだけでベルト掛止体から工具支承体を取外しできるので、工具支承体の着脱作業を容易に行うことができ、その上、工具支承体が前記使用位置にある状態でベルト掛止体のベルト通し孔に腰ベルトを挿通することで、挿込部の案内孔部に沿った挿脱用孔部方向へのスライド戻り動を阻止でき、腰ベルトにベルト掛止体を掛止めるという工具ホルダー使用時に必ず行われる行為によりベルト掛止体から工具支承体が確実に脱落不能となるなど、極めて実用性に優れた工具ホルダーとなる。
【００１４】
また、請求項２記載の発明においては、この種工具ホルダーに必須の構成要件であるベルト通し孔を利用して前記作用・効果を確実に発揮する取付孔を簡易に設計実現可能となる一層実用性に優れた工具ホルダーとなる。
【００１５】
また、請求項３記載の発明においては、前記作用・効果を確実に発揮する挿込部を簡易構成にして容易に設計実現可能となる一層実用性に優れた工具ホルダーとなる。
【００１６】
また、請求項４記載の発明においては、挿脱用孔部を介してのみ挿込部を挿脱可能となる取付孔と、挿脱用孔部を介してのみ取付孔に対し挿脱可能且つ案内孔部では取付孔に対し抜止状態となる挿込部の構成を、簡易構成にして容易に設計実現可能となる一層実用性に優れた工具ホルダーとなる。
【００１７】
また、請求項５記載の発明においては、嵌合部に挿込部の挿脱用先端部が嵌合することでベルト掛止体に対して工具支承体を使用位置で位置決めでき、この位置決め状態でベルト掛止体のベルト通し孔に腰ベルトを容易に挿通できて腰ベルトからベルト掛止体（工具ホルダー）を脱落不能状態にできる一層実用性に優れた工具ホルダーとなる。
【図面の簡単な説明】
【００１８】
【図１】本実施例を示す斜視図である。
【図２】本実施例を示す分解斜視図である。
【図３】本実施例の工具支承体の挿込部を、ベルト掛止体の取付孔（ベルト通し孔）の挿脱用孔部に挿込んだ状態を示す斜視図である。
【図４】図３に続いて、工具支承体を使用位置に移動させてベルト通し孔に腰ベルトを挿通した状態を示す説明側断面図である。
【図５】本実施例の使用状態を示す斜視図である。
【図６】本実施例の工具支承体を跳ね上げ収納した状態を示す説明側断面図である。
【図７】本実施例を示す、工具支承体を形状（用途）の異なるものに取替えた状態の斜視図である。
【発明を実施するための形態】
【００１９】
好適と考える本発明の実施形態を、図面に基づいて本発明の作用を示して簡単に説明する。
【００２０】
作業者Ｗが装着する腰ベルト１をベルト掛止体３のベルト通し孔２に挿通すると、腰ベルト１にベルト掛止体３が掛止められて、本発明の工具ホルダーＡが作業者Ｗの腰位置付近に取付けられる。このようにして作業者Ｗの腰ベルト１に取付けられた工具ホルダーＡの工具支承体４に、工具Ｔを支承して携帯できる。
【００２１】
また、本発明の工具ホルダーＡは、ベルト掛止体３に前記工具支承体４が着脱自在に設けられていて、前記工具支承体４を異なる形状のものに取替え可能である。
【００２２】
即ち、作業者Ｗ（ユーザー）が、携帯したい工具Ｔに応じてそれを支承可能な形状の工具支承体４を選択可能である。
【００２３】
そのため、例えばメーカーは、ベルト掛止体３に取付可能な様々な用途別形状の工具支承体４を安価な単品で提供販売することができ、これによりユーザーは、目的の用途に見合った工具支承体だけを安価に買い増しして様々な工具支承に用いることが可能となる。
【００２４】
また、工具支承体４のベルト掛止体３への取付方法を説明すると、工具支承体４に設けられている挿込部８を、ベルト掛止体３に設けられている取付孔５にその挿脱用孔部６から挿込んだ後、挿込部８を取付孔５の案内孔部７に沿ってスライド移動させることにより工具支承体４を使用位置Ｐへと誘導案内すると、挿込部８が取付孔５から抜止状態となって工具支承体４が使用位置Ｐで取付けられることとなる。
【００２５】
そして、工具支承体４が使用位置Ｐにある状態で前記ベルト通し孔２に腰ベルト１を挿通すると、この腰ベルト１が前記挿込部８と前記挿脱用孔部６との間に配設して、この腰ベルト１により挿込部８の案内孔部７に沿った挿脱用孔部６方向へのスライド戻り動が阻止され、ベルト掛止体３から工具支承体４が脱落不能な状態となる。
【００２６】
即ち、ベルト通し孔２に腰ベルト１を挿通する（腰ベルト１にベルト掛止体３を掛止める）という、作業者Ｗが工具ホルダーＡを身に着けるために必ず行う行為により、ベルト掛止体３に工具支承体４が確固に取付けられる。
【００２７】
また、工具支承体４の取替え方法を説明すると、ベルト通し孔２から腰ベルト１を挿脱し、使用位置Ｐにある工具支承体４を動かして挿込部８を挿脱用孔部６方向へスライド移動（戻り動）させると、挿脱用孔部６から挿込部８を挿脱して工具支承体４をベルト掛止体３から取外すことができ、この取外した工具支承体４に替えて異なる形状の工具支承体４を上記取付方法により取付ける。
【実施例】
【００２８】
本発明の具体的な実施例について図面に基づいて説明する。
【００２９】
本実施例の工具ホルダーＡは、作業者Ｗが装着する腰ベルト１に掛止可能なベルト通し孔２を有するベルト掛止体３と、工具Ｔを着脱自在に支承可能な工具支承体４とから成り、前記ベルト掛止体３に前記工具支承体４が着脱自在に設けられていて、前記工具支承体４を異なる形状のものに取替え可能に構成されている。
【００３０】
具体的には、本実施例のベルト掛止体３は、図１〜図３に示すように、上下方向に長さを有する縦長方形状の金属製基板材の左右両側に、上下方向に長さを有するスリット状のベルト通し孔２が貫通形成されており、図４，図５に示すように、この左右のベルト通し孔２に作業者Ｗが装着する腰ベルト１を挿脱自在に挿通することで、ベルト掛止体３（工具ホルダーＡ）を作業者Ｗの腰の位置に掛止し得るように構成されている。
【００３１】
また、このベルト掛止体３は、その上部と下部とが表側に向かって傾斜状に屈曲形成され、上部傾斜部には、フックなどの物掛け設備に掛止可能な掛孔11が貫通形成されており、下部傾斜部は、前記工具支承体４の姿勢をその使用位置Ｐで後述する支承枠材14が略水平状態となるように支持する支持部12として構成されている。
【００３２】
本実施例の工具支承体４は、工具ＴとしてのハンマーＴ１などを支承可能に構成されている（図５参照）もので、前記ベルト掛止体３に対し取付可能な取付枠材13と、工具Ｔを着脱自在に支承可能な支承枠材14とから構成されている。
【００３３】
取付枠材13は、金属製線材が平面視略コ字状に屈曲形成されて、その遊離両端部が挿込部８として構成されていると共に、折り返し部側が垂下折曲されて側面視略Ｌ字状をなす形状に形成されている。
【００３４】
支承枠材14は、金属製線材が平面視略コ字状に屈曲形成され、その遊離両端部が前記取付枠材13の垂下折り返し部の左右部に溶着（溶接）されることにより折り返し部側が水平方向に突出状態に設けられていて、例えば、この支承枠材14内にハンマーＴ１の柄を通し遊離両端にヘッド部を載置してハンマーＴ１を支承し得るように構成されている。
【００３５】
また、この工具支承体４は、形状が異なる（支承可能な工具Ｔの種類が異なる）ものが複数種類用意されており、この複数種類の工具支承体４を携帯したい工具Ｔの種別に応じて取替え可能に構成されている。
【００３６】
この工具支承体４の形状は、適宜設計変更可能であるが、図７は、ラチェットレンチＴ２などを支承することに適した工具支承体４を示している。また、この図７で示した工具支承体４について具体的に説明すると、一本の金属製線材が平面視略コ字状に屈曲形成されて成るもので、遊離両端部が挿込部８として構成されていると共に、遊離杆部の折り返し部側が下方に向かって湾曲する形状に形成されていてこの左右の湾曲杆部15でラチェットレンチＴ２などを支承可能に構成されている。また、この左右の湾曲杆部15の挿込部８側を前記支持部12に支持することで、立直状態のベルト掛止体３に対し、工具支承体４が前記使用位置Ｐで略水平状態となるように構成されている。
【００３７】
本実施例の、工具支承体４のベルト掛止体３への取付構造について説明すると、ベルト掛止体３に、工具支承体４を着脱自在に取付可能な取付孔５が設けられており、この取付孔５は、工具支承体４に設けられている前記挿込部８を挿脱可能な挿脱用孔部６と、この挿脱用孔部６から挿込んだ挿込部８をスライド移動させることで工具支承体４を使用位置Ｐへと誘導案内する案内孔部７とを有している。
【００３８】
更に具体的には、左右のベルト通し孔２の長さ方向の一端部（図面の上端部）に前記挿脱用孔部６が設けられ、この左右のベルト通し孔２の他端部（図面の下端部）に前記挿込部８を位置させた際の前記工具支承体４が前記使用位置Ｐにある構成とされ、このベルト通し孔２の上下両端部間の途中が前記案内孔部７に形成されている。即ち、本実施例では、左右のベルト通し孔２が前記取付孔５として構成されている（ベルト通し孔２が取付孔５を兼用する構成が採用されている。）。尚、ベルト通し孔２とは別に取付孔５が設けられる構成が採用されていても良い。
【００３９】
更に詳しくは、この取付孔５としての左右のベルト通し孔２の上端部が夫々の対向内側方向に向かって延設するＬ字孔（鉤形孔）に形成されて、この上端延設孔部が前記挿脱用孔部６として構成されている。
【００４０】
一方、前記左右の挿込部８は、前記取付孔５の案内孔部７に沿ってスライド自在な径寸法の金属製線材で構成されていると共に、夫々の先端が対向内側に向かって屈曲突出する平面視Ｌ字状（鉤形状）の挿脱用先端部９に形成されて、この左右の挿脱用先端部９が前記左右の取付孔５に前記挿脱用孔部６を介してのみ挿脱可能（ベルト掛止体３に対し工具支承体４を着脱可能）であって（図３参照）、且つ挿込部８が前記案内孔部７をスライド移動する際には前記ベルト掛止体３の裏面に係止して抜止状態となるように構成されている。
【００４１】
また、前記ベルト掛止体３は、前記取付孔５としての左右のベルト通し孔２の下端部の近傍位置を表側に約９０度屈曲させ、更にその屈曲先端を下方へ９０度屈曲させることで段差部が形成され、この段差部の下方に前記支持部12が設けられている。
【００４２】
そして、前記段差部の裏面側が嵌合部10として構成され、前記案内孔部７に沿ってスライド移動させた前記工具支承体４の挿込部８を取付孔５（ベルト通し孔２）の下端に位置させることで前記挿脱用先端部９をこの嵌合部10に嵌合させることができ、この嵌合部10に挿脱用先端部９を嵌合させて取付孔５の下端部に挿込部８を位置させた際の前記工具支承体４が、前記使用位置Ｐに位置するように構成されていると共に、挿脱用先端部９をこの嵌合部10に嵌合させつつ工具支承体４の取付枠材13の垂下折り返し部を前記支持部12に支持することで、立直状態のベルト掛止体３に対し、工具支承体４（の支承枠材14）が前記使用位置Ｐで略水平状態となるように構成されている。
【００４３】
以上のように構成した本実施例の使用方法を説明する。
【００４４】
工具支承体４の挿込部８の挿脱用先端部９を、ベルト掛止体３の取付孔５にその挿脱用孔部６から挿込み（図３参照）、この挿脱用孔部６から挿込んだ挿込部８を案内孔部７に沿って下方へスライド移動させて工具支承体４を使用位置Ｐへと誘導案内すると（図３中の矢印及び二点鎖線を参照）、挿込部８が取付孔５に対し抜止状態となって工具支承体４が使用位置Ｐでベルト掛止体３に取付けられる。
【００４５】
そして、この工具支承体４が使用位置Ｐにある状態で前記ベルト通し孔２に腰ベルト１を挿通すると、この腰ベルト１が前記挿込部８と前記挿脱用孔部６との間に配設して、この腰ベルト１により挿込部８の案内孔部７に沿った挿脱用孔部６方向（上方向）へのスライド戻り動が阻止され、ベルト掛止体３から工具支承体４が脱落不能な状態となる（図４参照）。
【００４６】
このようにして作業者Ｗの腰ベルト１に取付けられた工具ホルダーＡの工具支承体４に、工具Ｔを支承して携帯できる（図５参照）。
【００４７】
また、本実施例で示した工具支承体４は、工具Ｔの不携帯時に上方へ跳ね上げて収納状態としておくことも可能である。
【００４８】
具体的には、図６に示すように、嵌合部10に嵌合した挿脱用先端部９を支点にして支承枠材14を上方に跳ね上げた後、その跳ね上げ状態のまま下動させると、取付枠材13の垂下折り返し部側がベルト通し孔２の下端に接して下動不能な状態となると共に、挿込部８が作業者Ｗの身体に接して跳ね上げ状態が維持されるように構成されている。
【００４９】
工具支承体４を取替える時は、腰ベルト１をベルト通し孔２から挿脱し、工具支承体４を動かして挿込部８を挿脱用孔部６方向へスライド移動（戻り上動）させると、挿脱用孔部６から挿込部８を挿脱して工具支承体４をベルト掛止体３から取外すことができ、この取外した工具支承体４に替えて、例えば図７に示したような異なる形状の工具支承体４を取付けできる。
【００５０】
尚、本発明は、本実施例に限られるものではなく、各構成要件の具体的構成は適宜設計し得るものである。
【符号の説明】
【００５１】
１  腰ベルト
２  ベルト通し孔
３  ベルト掛止体
４  工具支承体
５  取付孔
６  挿脱用孔部
７  案内孔部
８  挿込部
９  挿脱用先端部
10  嵌合部
Ａ  工具ホルダー
Ｐ  使用位置
Ｔ  工具
Ｗ  作業者
【図１】
2019107719.tif 000003
【図２】
2019107719.tif 000004
【図３】
2019107719.tif 000005
【図４】
2019107719.tif 000006
【図５】
2019107719.tif 000007
【図６】
2019107719.tif 000008
【図７】
2019107719.tif 000009